【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】  撮像手段と、
前記撮像手段へ入射する光路を遮る絞り羽根と、
前記絞り羽根が形成する開口部の断面積を変えるために、前記絞り羽根を駆動する第１の駆動手段と、
光路を通過する光の透過率を変える減光フィルタと、
前記減光フィルタを光路に出し入れする第２の駆動手段とを有し、
前記撮像手段が検出する被写体照度に応じて光路を通過する光量を調整する光量調整装置において、
被写体照度が第１の照度範囲にある場合、被写体照度の変化に応じて、前記第２の駆動手段は、前記減光フィルタを光路に出し入れし、
被写体照度が前記第１の照度範囲より高い第２の照度範囲にある場合、前記減光フィルタは、前記開口部の一部を除いて前記開口部を覆う位置にあり、被写体照度の変化に応じて、前記第１の駆動手段は、前記絞り羽根を駆動することを特徴とする光量調整装置。
【請求項２】  絞り羽根の位置を検出する第１の検出手段を有し、
前記第１の検出手段の出力に応じて絞り羽根を停止させることを特徴とする請求項１記載の光量調整装置。
【請求項３】  前記減光フィルタの位置を検出する第２の検出手段を有し、
前記第１の検出手段の出力と前記第２の検出手段の出力が、所定の関係になる位置において前記絞り羽根の駆動を再開することを特徴とする請求項２記載の光量調整装置。
【請求項４】  前記減光フィルタと前記絞り羽根との相対位置を検出する相対位置検出手段を有し、相対位置検出位置の出力に応じて、前記絞り羽根の駆動を再開することを特徴とする請求項１記載の光量調整装置。
【請求項５】  撮像手段と、
前記撮像手段へ入射する光路を遮る絞り羽根と、
前記絞り羽根が形成する開口部の断面積を変えるために、前記絞り羽根を駆動する第１の駆動手段と、
透過率が異なるｎ個の領域を有し、光路を通過する光の透過率を変える減光フィルタと（ｎ＞１）、
前記減光フィルタを光路に出し入れする第２の駆動手段とを有し、
前記撮像手段が検出する被写体照度に応じて光路を通過する光量を調整する光量調整装置において、
被写体照度が第１の照度範囲にある場合、被写体照度の変化に応じて、前記第２の駆動手段は、前記減光フィルタを光路に出し入れし、
被写体照度が前記第１の照度範囲より高い第２の照度範囲にある場合、前記減光フィルタのｎ番目の領域は、前記開口部の一部を除いて前記開口部を覆う位置にあり、被写体照度の変化に応じて、前記第１の駆動手段は、前記絞り羽根を駆動することを特徴とする光量調整装置。
【請求項６】  前記減光フィルタのｎ番目の領域は、透過率が最も低い領域であることを特徴とする請求項５記載の光量調整装置。
【請求項７】  前記減光フィルタのｎ番目の領域と隣り合ったｎ−１番目の領域の境界と、前記絞り羽根との相対位置を検出する相対位置検出手段を有し、
前記相対位置検出手段の出力に応じて前記絞り羽根の駆動を再開することを特徴とする請求項５記載の光量調整装置。
【請求項８】  撮像手段と、
前記撮像手段へ入射する光路を遮る円形の固定絞りと、
光路の一部を遮るための、光路中に多角形の開口部を形成する絞り羽根と、
前記絞り羽根が形成する開口部の断面積を変えるために前記絞り羽根を駆動する第１の駆動手段と、
光路を通過する光の透過率を変える減光フィルタと、
前記減光フィルタを待避位置から光路中に挿入する第２の駆動手段とを有し、
前記撮像手段が検出する被写体照度に応じて光路を通過する光量を調整する光量調整装置において、
被写体照度が第１の照度範囲にある場合、被写体照度の変化に応じて、前記第２の駆動手段は、前記減光フィルタを光路に出し入れし、
被写体照度が前記第１の照度範囲より高い第２の照度範囲にある場合、前記減光フィルタは、前記固定絞りの前記開口部の一部を除いて前記開口部を覆う位置にあり、被写体照度の変化に応じて、前記第１の駆動手段は、前記絞り羽根を駆動することを特徴とする光量調整装置。
【請求項９】  光路の中心と前記絞り羽根が形成する多角形の開口部の頂点とを結ぶ方向とほぼ同じ方向に、前記減光フィルタを挿入することを特徴とする請求項８記載の光量調整装置。
【請求項１０】  前記減光フィルタが前記開口部を覆う位置は、回折現象による画像劣化が最大となる位置であることを特徴とする請求項１、５、８のいずれか１つに記載の光量調整装置。
【手続補正２】
【補正対象書類名】明細書
【補正対象項目名】０００７
【補正方法】変更
【補正の内容】
【０００７】
次に、図１３を用いて従来の光量調整装置の動作を説明する。図１３においては、光軸１００は紙面に直角な方向となる。被写体の照度が低いとき、図１３(a)に示すように、ＮＤフィルタ１０４は光路から待避し、絞り羽根１０６、１０７は光路を遮らないように全開状態となる。
【手続補正３】
【補正対象書類名】明細書
【補正対象項目名】００１５
【補正方法】変更
【補正の内容】
【００１５】
【課題を解決するための手段】
この課題を解決するために、本発明の光量調整装置は、撮像手段と、前記撮像手段へ入射する光路を遮る絞り羽根と、前記絞り羽根が形成する開口部の断面積を変えるために、前記絞り羽根を駆動する第１の駆動手段と、光路を通過する光の透過率を変える減光フィルタと、前記減光フィルタを光路に出し入れする第２の駆動手段とを有し、前記撮像手段が検出する被写体照度に応じて光路を通過する光量を調整する光量調整装置であって、被写体照度が第１の照度範囲にある場合、被写体照度の変化に応じて、前記第２の駆動手段は、前記減光フィルタを光路に出し入れし、被写体照度が前記第１の照度範囲より高い第２の照度範囲にある場合、前記減光フィルタは、前記開口部の一部を除いて前記開口部を覆う位置にあり、被写体照度の変化に応じて、前記第１の駆動手段は、前記絞り羽根を駆動することを特徴とするものである。
【手続補正４】
【補正対象書類名】明細書
【補正対象項目名】００１６
【補正方法】変更
【補正の内容】
【００１６】
また、本発明の光量調整装置は、上記において、絞り羽根の位置を検出する第１の検出手段を有し、前記第１の検出手段の出力に応じて絞り羽根を停止させることを特徴とするものである。
【手続補正５】
【補正対象書類名】明細書
【補正対象項目名】００１７
【補正方法】変更
【補正の内容】
【００１７】
また、本発明の光量調整装置は、上記において、前記減光フィルタの位置を検出する第２の検出手段を有し、前記第１の検出手段の出力と前記第２の検出手段の出力が、所定の関係になる位置において前記絞り羽根の駆動を再開することを特徴とするものである。
【手続補正６】
【補正対象書類名】明細書
【補正対象項目名】００１８
【補正方法】変更
【補正の内容】
【００１８】
また、本発明の光量調整装置は、上記において、前記減光フィルタと前記絞り羽根との相対位置を検出する相対位置検出手段を有し、相対位置検出位置の出力に応じて、前記絞り羽根の駆動を再開することを特徴とするものである。
【手続補正７】
【補正対象書類名】明細書
【補正対象項目名】００１９
【補正方法】変更
【補正の内容】
【００１９】
さらに、本発明の光量調整装置は、撮像手段と、前記撮像手段へ入射する光路を遮る絞り羽根と、前記絞り羽根が形成する開口部の断面積を変えるために、前記絞り羽根を駆動する第１の駆動手段と、透過率が異なるｎ個の領域を有し、光路を通過する光の透過率を変える減光フィルタと（ｎ＞１）、前記減光フィルタを光路に出し入れする第２の駆動手段とを有し、前記撮像手段が検出する被写体照度に応じて光路を通過する光量を調整する光量調整装置であって、被写体照度が第１の照度範囲にある場合、被写体照度の変化に応じて、前記第２の駆動手段は、前記減光フィルタを光路に出し入れし、被写体照度が前記第１の照度範囲より高い第２の照度範囲にある場合、前記減光フィルタのｎ番目の領域は、前記開口部の一部を除いて前記開口部を覆う位置にあり、被写体照度の変化に応じて、前記第１の駆動手段は、前記絞り羽根を駆動することを特徴とするものである。
【手続補正８】
【補正対象書類名】明細書
【補正対象項目名】００２０
【補正方法】変更
【補正の内容】
【００２０】
また、本発明の光量調整装置は、上記において、前記減光フィルタのｎ番目の領域は、透過率が最も低い領域であることを特徴とするものである。
【手続補正９】
【補正対象書類名】明細書
【補正対象項目名】００２１
【補正方法】変更
【補正の内容】
【００２１】
また、本発明の光量調整装置は、上記において、前記減光フィルタのｎ番目の領域と隣り合ったｎ−１番目の領域の境界と、前記絞り羽根との相対位置を検出する相対位置検出手段を有し、前記相対位置検出手段の出力に応じて前記絞り羽根の駆動を再開することを特徴とするものである。
【手続補正１０】
【補正対象書類名】明細書
【補正対象項目名】００２２
【補正方法】変更
【補正の内容】
【００２２】
また、本発明の光量調整装置は、撮像手段と、前記撮像手段へ入射する光路を遮る円形の固定絞りと、光路の一部を遮るための、光路中に多角形の開口部を形成する絞り羽根と、前記絞り羽根が形成する開口部の断面積を変えるために前記絞り羽根を駆動する第１の駆動手段と、光路を通過する光の透過率を変える減光フィルタと、前記減光フィルタを待避位置から光路中に挿入する第２の駆動手段とを有し、前記撮像手段が検出する被写体照度に応じて光路を通過する光量を調整する光量調整装置であって、被写体照度が第１の照度範囲にある場合、被写体照度の変化に応じて、前記第２の駆動手段は、前記減光フィルタを光路に出し入れし、被写体照度が前記第１の照度範囲より高い第２の照度範囲にある場合、前記減光フィルタは、前記固定絞りの前記開口部の一部を除いて前記開口部を覆う位置にあり、被写体照度の変化に応じて、前記第１の駆動手段は、前記絞り羽根を駆動することを特徴とするものである。
【手続補正１１】
【補正対象書類名】明細書
【補正対象項目名】００２３
【補正方法】変更
【補正の内容】
【００２３】
また、本発明の光量調整装置は、上記において、光路の中心と前記絞り羽根が形成する多角形の開口部の頂点とを結ぶ方向とほぼ同じ方向に、前記減光フィルタを挿入することを特徴とするものである。
【手続補正１２】
【補正対象書類名】明細書
【補正対象項目名】００２４
【補正方法】変更
【補正の内容】
【００２４】
さらに、本発明の光量調整装置は、上記において、前記減光フィルタが開口部を覆う位置は、回折現象による画像劣化が最大となる位置であることを特徴とするものである。
【手続補正１３】
【補正対象書類名】明細書
【補正対象項目名】００２５
【補正方法】削除
【補正の内容】